(57)【特許請求の範囲】
【請求項１】
電気的な接続構造を収容し、かつ開口部を上側に向けて配置される箱本体の側壁の上縁に形成され、グロメットの筒状部に応じた形状の切欠き部と、
前記箱本体における前記側壁よりも内側に設けられ、溝部を挟んで前記側壁と対向する内側壁部と、
前記グロメットの前記筒状部の外周面から前記筒状部の軸方向と直交する方向に向けて突出しており、前記溝部に差し込まれるフランジ部と、
前記開口部を覆うカバーに設けられ、前記側壁の外側面および前記フランジ部の外側面と対向する対向壁部と、
前記フランジ部の外側面から前記対向壁部に向けて突出し、かつ水平方向に延在する突起部と
を備えることを特徴とする電気接続箱用の防水構造。
【請求項２】
前記突起部は、前記フランジ部の外側面において、前記筒状部の上側に配置されている
請求項１に記載の電気接続箱用の防水構造。
【請求項３】
前記突起部は、前記切欠き部と共に前記筒状部を囲む
請求項１または２に記載の電気接続箱用の防水構造。
【請求項４】
更に、前記フランジ部の上部から上方に向けて突出した板状部と、
前記カバーに設けられ、前記板状部が差し込まれる溝部と、
を備える請求項１から３の何れか１項に記載の電気接続箱用の防水構造。
【請求項５】
電気的な接続構造を収容し、かつ開口部を上側に向けて配置される箱本体と、
筒状部を有するグロメットと、
前記開口部を覆うカバーと、
を備え、
前記箱本体は、側壁の上縁に形成され、かつ前記筒状部に応じた形状の切欠き部と、前記側壁よりも内側に設けられ、溝部を挟んで前記側壁と対向する内側壁部とを有し、
前記グロメットは、前記筒状部の外周面から前記筒状部の軸方向と直交する方向に向けて突出しており、前記溝部に差し込まれるフランジ部を有し、
前記カバーは、前記側壁の外側面および前記フランジ部の外側面と対向する対向壁部を有し、
前記グロメットは、更に、前記フランジ部の外側面から前記対向壁部に向けて突出し、かつ水平方向に延在する突起部を有する
ことを特徴とする電気接続箱。
【発明の詳細な説明】
【技術分野】
【０００１】
本発明は、電気接続箱用の防水構造および電気接続箱に関する。
【背景技術】
【０００２】
従来、箱本体、カバー、およびグロメットを有する電気接続箱のための防水構造がある。防水構造を備える電気接続箱として、特許文献１には、ケースのガイド部にグロメットのフランジ部を嵌合させ、ケースにカバーを被着させる構造で、フランジ部を一体的に少なくとも二段に形成し、ケース外方向の第一のフランジ部分よりもケース内方向の第二のフランジ部分を高さ方向及び幅方向に大きく形成した電気接続箱の技術が開示されている。
【先行技術文献】
【特許文献】
【０００３】
【特許文献１】特開２００２−３６９３３４号公報
【発明の概要】
【発明が解決しようとする課題】
【０００４】
電気接続箱の内部への浸水を抑制することについて、なお改良の余地がある。例えば、電気接続箱において、カバーとグロメットとの隙間を介した浸水を抑制できることが望まれている。
【０００５】
本発明の目的は、カバーとグロメットとの隙間を介した浸水を抑制できる電気接続箱用の防水構造および電気接続箱を提供することである。
【課題を解決するための手段】
【０００６】
本発明の電気接続箱用の防水構造は、電気的な接続構造を収容し、かつ開口部を上側に向けて配置される箱本体の側壁の上縁に形成され、グロメットの筒状部に応じた形状の切欠き部と、前記箱本体における前記側壁よりも内側に設けられ、溝部を挟んで前記側壁と対向する内側壁部と、前記グロメットの前記筒状部の外周面から前記筒状部の軸方向と直交する方向に向けて突出しており、前記溝部に差し込まれるフランジ部と、前記開口部を覆うカバーに設けられ、前記側壁の外側面および前記フランジ部の外側面と対向する対向壁部と、前記フランジ部の外側面から前記対向壁部に向けて突出し、かつ水平方向に延在する突起部とを備えることを特徴とする。
【０００７】
上記電気接続箱用の防水構造において、前記突起部は、前記フランジ部の外側面において、前記筒状部の上側に配置されていることが好ましい。
【０００８】
上記電気接続箱用の防水構造において、前記突起部は、前記切欠き部と共に前記筒状部を囲むことが好ましい。
【０００９】
上記電気接続箱用の防水構造において、更に、前記フランジ部の上部から上方に向けて突出した板状部と、前記カバーに設けられ、前記板状部が差し込まれる溝部と、を備えることが好ましい。
【００１０】
本発明の電気接続箱は、電気的な接続構造を収容し、かつ開口部を上側に向けて配置される箱本体と、筒状部を有するグロメットと、前記開口部を覆うカバーと、を備え、前記箱本体は、側壁の上縁に形成され、かつ前記筒状部に応じた形状の切欠き部と、前記側壁よりも内側に設けられ、溝部を挟んで前記側壁と対向する内側壁部とを有し、前記グロメットは、前記筒状部の外周面から前記筒状部の軸方向と直交する方向に向けて突出しており、前記溝部に差し込まれるフランジ部を有し、前記カバーは、前記側壁の外側面および前記フランジ部の外側面と対向する対向壁部を有し、前記グロメットは、更に、前記フランジ部の外側面から前記対向壁部に向けて突出し、かつ水平方向に延在する突起部を有することを特徴とする。
【発明の効果】
【００１１】
本発明に係る電気接続箱用の防水構造および電気接続箱は、グロメットのフランジ部の外側面からカバーの対向壁部に向けて突出し、かつ水平方向に延在する突起部を備える。突起部は、フランジ部の外側面に沿って水が上方へ向かうことを抑制する。よって、本発明に係る電気接続箱用の防水構造および電気接続箱は、カバーとグロメットとの隙間を介した浸水を抑制することができるという効果を奏する。
【図面の簡単な説明】
【００１２】
【図１】図１は、実施形態に係る電気接続箱用の防水構造および電気接続箱の要部斜視図である。
【図２】図２は、実施形態に係る箱本体の斜視図である。
【図３】図３は、実施形態に係るカバーの斜視図である。
【図４】図４は、実施形態に係るグロメットの斜視図である。
【図５】図５は、グロメットが組み付けられた箱本体を示す平面図である。
【図６】図６は、実施形態に係る電気接続箱用の防水構造および電気接続箱の断面図である。
【図７】図７は、実施形態の電気接続箱内における電気的な接続構造を示す断面図である。
【図８】図８は、実施形態の突起部の構成を示す正面図である。
【図９】図９は、実施形態の突起部の他の構成を示す正面図である。
【発明を実施するための形態】
【００１３】
以下に、本発明の実施形態に係る電気接続箱用の防水構造および電気接続箱につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１４】
［実施形態］
図１から図９を参照して、実施形態について説明する。本実施形態は、電気接続箱用の防水構造および電気接続箱に関する。図１は、実施形態に係る電気接続箱用の防水構造および電気接続箱の要部斜視図、図２は、実施形態に係る箱本体の斜視図、図３は、実施形態に係るカバーの斜視図、図４は、実施形態に係るグロメットの斜視図、図５は、グロメットが組み付けられた箱本体を示す平面図、図６は、実施形態に係る電気接続箱用の防水構造および電気接続箱の断面図、図７は、実施形態の電気接続箱内における電気的な接続構造を示す断面図、図８は、実施形態の突起部の構成を示す正面図、図９は、実施形態の突起部の他の構成を示す正面図である。図６には、図１のVI−VI断面が示されている。
【００１５】
実施形態に係る電気接続箱２は、箱本体３、カバー４、およびグロメット５を有する。図１および図６に示すように、本実施形態の電気接続箱用の防水構造１は、箱本体３の切欠き部３４ｂ、内側壁部３５、カバー４の対向壁部４２、グロメット５の外側フランジ部５２および突起部５５を有する。
【００１６】
電気接続箱２は、電線Ｗと共にワイヤハーネスＷＨを構成する。ワイヤハーネスＷＨは、自動車等の車両に搭載されるものであり、当該車両に搭載される各装置を接続する。ワイヤハーネスＷＨは、電源供給や信号通信に用いられる複数の電線Ｗを有する。各電線Ｗの一端は、電気接続箱２内に収容されている端子２１，２２（図７参照）と接続される。各電線Ｗの他端は、コネクタ等を介してバッテリや電装品等の各装置と接続される。
【００１７】
電気接続箱２は、ジャンクションボックス、ヒューズボックス、リレーボックスなどとも呼ばれる場合があるが、本実施形態ではこれらを総称して「電気接続箱」と呼ぶ。電気接続箱２は、端子２１と端子２２との電気的な接続構造（接続部位）を収容する筐体を構成する箱本体３およびカバー４を有する。本実施形態の箱本体３およびカバー４は、合成樹脂によって形成されている。
【００１８】
図２に示すように、箱本体３の形状は、略直方体形状であり、Ｙ１方向に軸方向視した場合の形状が矩形となっている。以下の説明において、箱本体３に関して「軸方向」とは、箱本体３の一対の側壁３４，３４が対向する方向を示すものとする。本実施形態の箱本体３は、直方体の長手方向が軸方向となっている。箱本体３は、長手方向に沿った一面が開放した開口部３ａとなっている。なお、図５に示すようにグロメット５が箱本体３に取り付けられた状態において、グロメット５の筒状部５１の軸方向（中心軸線Ｘ１の方向）は、箱本体３の軸方向と一致する。電気接続箱２は、箱本体３のＵ字形状の開放部が上方を向くようにして車両に搭載される。言い換えると、電気接続箱２は、箱本体３の開口部３ａを上側に向けて配置される。以下の説明において、「上下方向」とは、電気接続箱２が車両に搭載された状態における車両上下方向を示すものとする。本実施形態の電気接続箱２は、箱本体３の軸方向が車両上下方向と直交ないしは略直交する姿勢で車両に搭載される。
【００１９】
図２に戻り、箱本体３の内部の収容部３１には、電線Ｗの端部および当該端部に取り付けられた端子２１，２２が収容される。箱本体３は、収容部３１を形成する側壁３４および樋状部３８を有する。側壁３４および樋状部３８は、箱本体３の外殻を構成している。樋状部３８は、軸方向に沿った樋状の構成部であり、箱本体３の一端から他端まで延在している。樋状部３８の断面形状は、矩形の上側が開放した形状となっている。側壁３４は、樋状部３８の軸方向の端部とつながっており、軸方向と直交している。つまり、側壁３４は、樋状部３８の両端に設けられており、箱本体３の内側と外側とを仕切っている。側壁３４よりも内側には、内側壁部３５が設けられている。内側壁部３５は、樋状部３８の内面から内側に向けて突出している板状の壁部である。内側壁部３５は、軸方向において側壁３４と対向している。つまり、箱本体３における軸方向の両端部は、二重壁となっている。内側壁部３５の上端は、側壁３４の上端よりも上側に位置している。言い換えると、箱本体３を軸方向視した場合に、内側壁部３５は側壁３４よりも上側に突出している。
【００２０】
箱本体３は、樋状部３８とつながった突出壁３９を有する。突出壁３９は、軸方向に延在する板状の構成部であり、内側壁部３５とつながっている。突出壁３９は、樋状部３８の上端から上側に向けて突出している。樋状部３８の底面には、台部３ｂが設けられている。台部３ｂは、樋状部３８における軸方向の中央部に配置されている。台部３ｂは、樋状部３８の底面から隆起している。本実施形態の台部３ｂの平面形状は、矩形である。スタッドボルト３ｃは、台部３ｂの上面から上方に向けて突出している。箱本体３には、固定部３２および係止爪３３が設けられている。固定部３２および係止爪３３は、樋状部３８から側方に向けて突出している。固定部３２は、平板状の構成部であり、板厚方向に貫通する貫通孔３２ａを有する。固定部３２は、ねじ等の締結部材によって車体に対して固定される。係止爪３３は、樋状部３８の上端の近傍に配置されている。また、係止爪３３は、軸方向の両端部にそれぞれ設けられている。
【００２１】
側壁３４の上縁には、切欠き部３４ｂが形成されている。軸方向視における切欠き部３４ｂの形状は、Ｕ字形状である。切欠き部３４ｂは、側壁３４の上端３４ａから下方に向けて所定の範囲に形成されている。切欠き部３４ｂの形状は、グロメット５の筒状部５１に対応する形状となっている。切欠き部３４ｂは、少なくとも筒状部５１が挿入可能な幅を有している。内側壁部３５には、切欠き部３５ｂが形成されている。軸方向視における切欠き部３５ｂの形状は、Ｕ字形状である。切欠き部３５ｂは、内側壁部３５の上端３５ａから下方に向けて所定の範囲に形成されている。軸方向視において二つの切欠き部３４ｂ，３５ｂは重なっている。側壁３４と内側壁部３５との間には、溝部３６が形成されている。
【００２２】
図３に示すカバー４は、箱本体３の開口部３ａを覆い、開口部３ａを閉塞する閉塞部材である。カバー４は、箱本体３と共に、電線Ｗの端部および端子２１，２２を収納する筐体を構成する。カバー４は、天板部４１、対向壁部４２、側方壁部４３、および係止枠部４４を有する。天板部４１は、板状の構成部であり、箱本体３の開口部３ａを上方から閉塞する。対向壁部４２は、天板部４１の軸方向の端部から下方に向けて延在している。対向壁部４２は、箱本体３の側壁３４と対向して側壁３４の上部を外側から覆う。側方壁部４３は、天板部４１の幅方向の端部から下方に向けて延在している。側方壁部４３は、箱本体３の樋状部３８と対向して樋状部３８の上部を外側から覆う。係止枠部４４は、側方壁部４３に設けられている。係止枠部４４は、側方壁部４３の下端よりも下側に向けて突出している枠状の構成部である。係止枠部４４は、箱本体３の係止爪３３に係止されてカバー４と箱本体３とを連結する。対向壁部４２の下縁には、切欠き部４２ａが形成されている。切欠き部４２ａの形状は、円弧形状である。
【００２３】
図４に示すグロメット５は、電気接続箱２の内部空間と外部空間とを連通する部材である。グロメット５は、例えば、合成樹脂によって形成されている。グロメット５は、筒状部５１、外側フランジ部５２、内側フランジ部５３、リブ５４、および突起部５５を有する。筒状部５１は、筒状の構成部であり、本実施形態では円筒形状に形成されている。グロメット５には、貫通孔５６が設けられている。貫通孔５６は、グロメット５を筒状部５１の軸方向に貫いている。より詳しくは、貫通孔５６は、筒状部５１、外側フランジ部５２、および内側フランジ部５３を貫いている。ワイヤハーネスＷＨの電線Ｗは、貫通孔５６に挿通される。
【００２４】
外側フランジ部５２および内側フランジ部５３は、筒状部５１の外周面５１ａから筒状部の軸方向と直交する方向に向けて突出している。軸方向視における外側フランジ部５２および内側フランジ部５３の形状は、Ｕ字形状である。外側フランジ部５２と内側フランジ部５３とは、軸方向において離間している。リブ５４は、板状の構成部であり、外側フランジ部５２と内側フランジ部５３との間から上方に向けて突出している。言い換えると、リブ５４は、外側フランジ部５２および内側フランジ部５３の上部から上方に向けて突出している板状部である。突起部５５は、外側フランジ部５２と一体に形成されており、外側フランジ部５２の外側面５２ａから突出している。突起部５５は、水平方向に延在している。軸方向視における突起部５５の形状は、横長の矩形であり、外側面５２ａから外側に向けて、すなわち筒状部５１側に向けて隆起している。突起部５５は、筒状部５１よりも上側に配置されており、筒状部５１との間に隙間５７が設けられている。
【００２５】
図５および図６に示すように、グロメット５の外側フランジ部５２は、箱本体３の溝部３６に差し込まれる。図６に示すように、溝部３６に差し込まれた外側フランジ部５２は、側壁３４と内側壁部３５との間に挟まれる。外側フランジ部５２の外側面５２ａの縁部は、側壁３４の内側面と対向する。外側フランジ部５２の内側面５２ｂは、内側壁部３５の外側面と対向する。このように、互いに対向する側壁３４と内側壁部３５とからなる二重壁の間に外側フランジ部５２が差し込まれることで、収容部３１への浸水を抑制する防水構造が実現されている。また、グロメット５は、外側フランジ部５２と内側フランジ部５３との間に内側壁部３５を挟み込む。内側壁部３５は、外側フランジ部５２と内側フランジ部５３との間の溝部５８に奥まで差し込まれる。これにより、内側壁部３５よりも奥側への浸水が効果的に抑制される。外側フランジ部５２が溝部３６に差し込まれ、かつ内側壁部３５が外側フランジ部５２と内側フランジ部５３との間に差し込まれることで、グロメット５が箱本体３によって支持される。
【００２６】
カバー４は、グロメット５を支持している箱本体３に対して上方から被せられて開口部３ａを閉塞する。カバー４は、天板部４１によって開口部３ａを覆うと共に、対向壁部４２によって箱本体３の側壁３４を外側から覆い、かつ側方壁部４３によって樋状部３８を外側から覆う。
【００２７】
図６に示すように、カバー４は、リブ４５、および溝部４６を有する。リブ４５は、天板部４１の下面から下方に向けて突出している。リブ４５は、軸方向および上下方向のそれぞれと直交する方向に延在している。溝部４６は、リブ４５と対向壁部４２との間に設けられている。より詳しくは、本実施形態のカバー４は、天板部４１と対向壁部４２とをつなぐ縦壁４７および横壁４８を有する。縦壁４７は、天板部４１の縁から下方に向けて延在する壁部である。縦壁４７は、天板部４１の周りを囲んでいる。横壁４８は、縦壁４７の下端から電気接続箱２の外側に向けて延在する壁部である。横壁４８は、縦壁４７の下端と対向壁部４２の上端とをつないでいる。対向壁部４２は、横壁４８の外側の縁から下方に向けて延在している。溝部４６は、縦壁４７と、天板部４１と、リブ４５とによって形成されており、下方に向けて開口している。
【００２８】
カバー４が箱本体３に対して被せられると、グロメット５のリブ５４がカバー４の溝部４６に差し込まれる。また、カバー４の横壁４８の下面がグロメット５の外側フランジ部５２の上面５２ｃに当接する。カバー４のリブ４５の先端は、内側フランジ部５３の上面５３ａに当接する。このように、二つのフランジ部５２，５３の間から上方に向けて突出するリブ５４が溝部４６に差し込まれ、かつ横壁４８が外側フランジ部５２に当接し、リブ４５が内側フランジ部５３に当接することで、二重壁の防水構造が実現されている。
【００２９】
カバー４の対向壁部４２は、図１および図６に示すように、箱本体３の側壁３４の外側面３４ｃおよびグロメット５の外側フランジ部５２の外側面５２ａと軸方向において対向する。
【００３０】
以下に図７を参照して説明するように、軸方向の一方側のグロメット５に挿通された電線Ｗ１と、他方側のグロメット５に挿通された電線Ｗ２とは、電気接続箱２の内部において電気的に接続される。端子２１は、一方側の電線Ｗ１に接続され、端子２２は、他方側の電線Ｗ２に接続される。端子２１は、電線Ｗ１の被覆２３および素線２４に対して加締められている。端子２２は、電線Ｗ２の被覆２５および素線２６に対して加締められている。端子２１，２２の先端には、それぞれ板状の接続部２１ａ，２２ａが設けられている。接続部２１ａ，２２ａは、スタッドボルト３ｃが挿通可能な貫通孔を有する。接続部２１ａの貫通孔にスタッドボルト３ｃが挿通され、かつ接続部２２ａの貫通孔にスタッドボルト３ｃが挿通された後に、ナット２７がスタッドボルト３ｃに締結される。これにより、一方の電線Ｗ１と他方の電線Ｗ２とが収容部３１において電気的に接続される。本実施形態の電気接続箱用の防水構造１は、以下に説明するように、電気的な接続構造を収容する収容部３１への浸水を適切に抑制することができる。
【００３１】
図１、図４および図６に示すように、本実施形態のグロメット５は、突起部５５を有している。突起部５５は、外側フランジ部５２の外側面５２ａから対向壁部４２に向けて突出している。図６に示すように、突起部５５は、外側面５２ａから対向壁部４２の近傍まで突出している。本実施形態の突起部５５の先端面５５ａは、箱本体３の側壁３４の外側面３４ｃと同一面上にある。突起部５５の先端面５５ａと対向壁部４２との隙間はわずかとなっており、収容部３１への水の浸入が効果的に抑制される。また、突起部５５の上面５５ｂは、外側フランジ部５２の上面５２ｃと連続した平面となっている。上面５５ｂは、カバー４の横壁４８と当接し、収容部３１への浸水を抑制する。
【００３２】
また、突起部５５は、筒状部５１よりも上側に配置されており、突起部５５の下面５５ｃと筒状部５１との間には隙間５７が設けられている。言い換えると、突起部５５は、筒状部５１の上方に庇のごとく張り出している。電気接続箱２の外部空間から筒状部５１の外周面５１ａと対向壁部４２との隙間を介して水が浸入してくると、その水はグロメット５の外側面５２ａに当たる。突起部５５の下面５５ｃは、浸入してくる水が外側面５２ａに沿って上方へ向かうことを抑制する。突起部５５は、上方へ向かう水の勢いを下面５５ｃによって弱める。突起部５５の下面５５ｃは、勢いのある水が外側面５２ａに沿って上方へ向かうことを抑制し、水の勢いを水平方向へ逃がす。突起部５５は、水圧に抗して水を水平方向に逃がすことができるだけの強度を有している。突起部５５は、高圧洗浄水等の水圧を受けても略変形しない程度の厚さや剛性を有していることが望ましい。また、突起部５５は、対向壁部４２との隙間を狭めることで浸水を抑制する。よって、本実施形態の突起部５５は、グロメット５とカバー４との隙間からの浸水を効果的に抑制することができる。
【００３３】
図６に示すように、突起部５５の下面５５ｃは、対向壁部４２の切欠き部４２ａの上端４２ｂと略同じ高さ位置にある。これにより、突起部５５の先端面５５ａは、対向壁部４２の内側に隠れた状態となる。よって、高圧洗浄水等の勢いのある水が対向壁部４２と突起部５５の先端面５５ａとの隙間に直接浸入しにくい構造となっている。このように対向壁部４２と先端面５５ａとの隙間に水が直接浸入しにくいようにする観点からは、突起部５５の下面５５ｃが切欠き部４２ａの上端４２ｂよりも上側に位置していることが好ましい。
【００３４】
突起部５５は、例えば、図８に示すように構成される。図８において、突起部５５は、箱本体３の側壁３４の上端３４ａよりもわずかに上側に位置している。突起部５５は、側壁３４の切欠き部３４ｂと共に筒状部５１を囲むように設けられている。突起部５５の幅Ｌ１は、切欠き部３４ｂの上端の幅Ｌ２よりも広い。突起部５５は、切欠き部３４ｂよりも側方まで延在している。突起部５５の下面５５ｃは、側壁３４の上端３４ａと上下方向において対向する。このように設けられた突起部５５は、切欠き部３４ｂに沿って上方へ向かう水を下面５５ｃによってブロックして収容部３１への浸水を抑制することができる。
【００３５】
突起部５５は、図９に示すように構成されてもよい。図９において、突起部５５は、少なくとも一部が切欠き部３４ｂによって囲まれた領域Ｒ１、すなわち破線内部の領域に位置するように配置されている。突起部５５は、側壁３４の切欠き部３４ｂと共に筒状部５１を囲むように設けられている。突起部５５の幅Ｌ３は、切欠き部３４ｂの上端の幅Ｌ２よりもわずかに狭い。突起部５５は、切欠き部３４ｂの上端の開口部を閉塞するように配置されている。突起部５５の下面５５ｃは、側壁３４の上端３４ａよりも下側に位置しており、突起部５５の上面５５ｂは、側壁３４の上端３４ａよりも上側に位置している。このように設けられた突起部５５は、切欠き部３４ｂに沿って上方へ向かう水を下面５５ｃによってブロックして収容部３１への浸水を抑制することができる。また、突起部５５の下面５５ｃによって水平方向に導かれた水は、切欠き部３４ｂによって下方に導かれて外部空間に排水される。
【００３６】
以上説明したように、本実施形態の電気接続箱用の防水構造１は、箱本体３の切欠き部３４ｂと、箱本体３の内側壁部３５と、グロメット５の外側フランジ部５２および突起部５５と、カバー４の対向壁部４２と、を有する。箱本体３は、電気的な接続構造を収容するものであり、かつ開口部３ａを上側に向けて配置される。切欠き部３４ｂは、箱本体３の側壁３４の上縁に形成されている。切欠き部３４ｂは、グロメット５の筒状部５１に応じた形状に形成されている。
【００３７】
内側壁部３５は、箱本体３における側壁３４よりも内側に設けられており、溝部３６を挟んで側壁３４と対向する。外側フランジ部５２は、グロメット５の筒状部５１の外周面５１ａから筒状部５１の軸方向と直交する方向に向けて突出している。外側フランジ部５２は、箱本体３の溝部３６に差し込まれる。カバー４は、箱本体３の開口部３ａを覆う部材である。対向壁部４２は、カバー４に設けられ、箱本体３の側壁３４の外側面３４ｃおよび外側フランジ部５２の外側面５２ａと対向して、外側面３４ｃ，５２ａを外側から覆う壁部である。突起部５５は、外側フランジ部５２の外側面５２ａから対向壁部４２に向けて突出しており、かつ水平方向に延在している。
【００３８】
本実施形態の突起部５５は、対向壁部４２に向けて突出しており、かつ水平方向に延在している。よって、突起部５５は、外側面５２ａに沿って上方へ向かう水の流れを規制し、電気接続箱２の収容部３１への浸水を効果的に抑制することができる。
【００３９】
本実施形態の突起部５５は、外側フランジ部５２の外側面５２ａにおいて、筒状部５１の上側に配置されている。突起部５５は、筒状部５１よりも上側に配置されていることで、カバー４と筒状部５１との隙間から入り込んだ水が上方へ進むことを効果的に規制することができる。
【００４０】
本実施形態の突起部５５は、箱本体３の切欠き部３４ｂと共に筒状部５１を囲む。よって、突起部５５は、カバー４と筒状部５１との隙間から入り込んだ水が上方へ進むことを効果的に規制することができる。
【００４１】
本実施形態の電気接続箱用の防水構造１は、更に、外側フランジ部５２の上部から上方に向けて突出したリブ５４と、カバー４に設けられ、リブ５４が差し込まれる溝部４６と、を有する。よって、リブ５４および溝部４６からなる二重壁の防水構造によって、電気接続箱２の収容部３１への浸水が効果的に抑制される。
【００４２】
また、本実施形態の電気接続箱２は、箱本体３、グロメット５、カバー４、および電気接続箱用の防水構造１を有する。よって、本実施形態の電気接続箱２は、電気的な接続構造を収容する収容部３１への浸水を効果的に抑制することができる。
【００４３】
［実施形態の変形例］
突起部５５の形状や配置は、例示したものには限定されない。突起部５５の形状や配置は、外側フランジ部５２の外側面５２ａに沿って上方へ向かう水の流れを抑制し、勢いを低減できるように適宜変更されてもよい。また、突起部５５の形状や配置は、上方とは異なる方向に水を導くことができるように適宜変更されてもよい。電気接続箱２内には、電気的な接続構造に加えて、リレーやヒューズ等の電子部品が収容されてもよい。
【００４４】
上記の実施形態および変形例に開示された内容は、適宜組み合わせて実行することができる。
【符号の説明】
【００４５】
１  電気接続箱用の防水構造
２  電気接続箱
３  箱本体
３ａ  開口部
３ｂ  台部
３ｃ  スタッドボルト
４  カバー
５  グロメット
２１，２２  端子
２３，２５  被膜
２４，２６  素線
２７  ナット
３１  収容部
３４  側壁
３４ａ  上端
３４ｂ  切欠き部
３４ｃ  外側面
３５  内側壁部
３５ａ  上端
３５ｂ  切欠き部
３６  溝部
４１  天板部
４２  対向壁部
４２ａ  切欠き部
４２ｂ  上端
５１  筒状部
５２  外側フランジ部
５２ａ  外側面
５２ｂ  内側面
５２ｃ  上面
５４  リブ
５５  突起部
５５ａ  先端面
５５ｂ  上面
５５ｃ  下面
５６  貫通孔
【図１】
0006576842.tif 000002
【図２】
0006576842.tif 000003
【図３】
0006576842.tif 000004
【図４】
0006576842.tif 000005
【図５】
0006576842.tif 000006
【図６】
0006576842.tif 000007
【図７】
0006576842.tif 000008
【図８】
0006576842.tif 000009
【図９】
0006576842.tif 000010